(57)【要約】  無線医療本体エリアネットワークＭＢＡＮに接続された無線装置を確認する方法が提供される。本方法は、ユーザが前記無線装置のいずれか１つを確認するための要求をアクティブ化することにより、確認の要求をアクティブにするステップと、無線ＭＢＡＮのいずれか１つの無線装置により、確認の要求を受信するステップと、複数の無線装置に表示を表示することにより、無線ＭＢＡＮに接続された複数の無線装置を示すステップと、を含む。無線ＭＢＡＮは、無線装置を含む。無線ＭＢＡＮは、確認をアクティブ化するように構成された各無線装置と、確認のアクティブ化時に識別情報を表示するように構成された複数の無線装置と、を含む。【選択図】図３
2018502395.tif 000002
【特許請求の範囲】
【請求項１】
無線医療本体エリアネットワークＭＢＡＮ（２００）に接続された無線装置（１１，１２，１３，１４，２０）を確認する方法であって、前記方法は、
ユーザが前記無線装置（１１，１２，１３，１４，２０）のいずれか１つを確認するための要求をアクティブ化することにより、前記確認の要求をアクティブにするステップ（５０）と、
前記無線ＭＢＡＮ（２００）の前記いずれか１つの無線装置（１１，１２，１３，１４，２０）により、確認の前記要求を受信するステップ（５２）と、
複数の無線装置（１１，１２，１３，１４，２０）に表示を表示することにより、前記無線ＭＢＡＮ（２００）に接続された前記複数の無線装置（１１，１２，１３，１４，２０）を示すステップ（５４）と、を含む方法。
【請求項２】
識別情報は、前記複数の無線装置（１１，１２，１３，１４，２０）について同一である、請求項１に記載の方法。
【請求項３】
前記識別情報は、色、シーケンスされたフラッシュパターン、音声、および記号のうちの１つまたは組み合わせである、請求項１または２に記載の方法。
【請求項４】
前記複数の無線装置（１１，１２，１３，１４，２０）に前記表示を表示することにより、前記無線ＭＢＡＮ（２００）に接続された前記複数の無線装置（１１，１２，１３，１４，２０）を示すステップ（５４）は、前記無線ＭＢＡＮ（２００）のホスト（２０）またはモニタに接続された複数の無線装置を示すことによってさらに特徴付けられる、請求項１乃至３のいずれか１項に記載の方法。
【請求項５】
前記表示は、ユーザが前記表示の表示を能動的に終了させるまで表示される、請求項１乃至４のいずれか１項に記載の方法。
【請求項６】
前記表示は、ある期間が経過するまで表示される、請求項１乃至５のいずれか１項に記載の方法。
【請求項７】
前記識別情報は、英数字コードである、請求項１乃至６のいずれか１項に記載の方法。
【請求項８】
無線医療本体エリアネットワークＭＢＡＮ（２００）であって、無線装置（１１，１２，１３，１４，２０）を含み、前記無線ＭＢＡＮ（２００）は、
確認をアクティブ化するように構成された各無線装置と、
前記確認のアクティブ化時に識別情報を表示するように構成された複数の無線装置と、を含む無線ＭＢＡＮ（２００）。
【請求項９】
前記識別情報は、前記無線ＭＢＡＮ（２００）内の前記複数の無線装置（１１，１２，１３，１４，２０）について同一である、請求項８に記載の無線ＭＢＡＮ（２００）。
【請求項１０】
前記識別情報は、色、シーケンスされたフラッシュパターン、音声、および記号のうちの１つまたは組み合わせである、請求項８または９に記載の無線ＭＢＡＮ（２００）。
【請求項１１】
前記無線装置（１１，１２，１３，１４，２０）は、ハブとして機能する少なくとも１つのセンサを含む、請求項８乃至１０のいずれか１項に記載の無線ＭＢＡＮ（２００）。
【請求項１２】
前記無線装置（１１，１２，１３，１４，２０）は、少なくとも１つのハブおよび少なくとも１つのセンサを含む、請求項８乃至１１のいずれか１項に記載の無線ＭＢＡＮ（２００）。
【請求項１３】
前記ハブは、前記無線ＭＢＡＮ（２００）内のすべての無線装置（１１，１２，１３，１４，２０）をリストするように構成される、請求項１２に記載の無線ＭＢＡＮ（２００）。
【請求項１４】
前記識別情報は英数字コードである、請求項８に記載の無線ＭＢＡＮ（２００）。
【発明の詳細な説明】
【技術分野】
【０００１】
本開示は、無線接続を確認するための方法およびシステムに関する。より詳細には、本開示は、例えばセンサとホストまたはモニタとの間などの医療装置間の無線接続を確認するための方法およびシステムに関する。
【背景技術】
【０００２】
医療装置のセンサは、ケーブルまたは配管を介してホスト装置に接続される。これにより、ケーブルの終端にある１つの装置からそれに接続されている他の装置までケーブルを追跡することにより、ユーザが接続を確認することができる。無線用途では、ホストとセンサの間に物理的な接続はない。それでも、接続を確認する必要性は残っている。
【０００３】
単一の患者に対して、またはその周りに適用されるこのような装置のネットワークを構成するケーブルを介して互いに接続された医療センサは、医療本体エリアネットワークＭＢＡＮと呼ばれる。このようなＭＢＡＮは、通常は病院で使用されるが、家庭やスポーツ施設などの他の場所でも使用される。ＭＢＡＮに含まれる装置およびその一部は、装置間の接続されたケーブルによって容易に見ることができる。新しい装置のケーブルを既存のＭＢＡＮのハブに接続することにより、新しい装置を既存のＭＢＡＮに接続することができる。
【０００４】
無線用途では、ケーブルなどの物理的な接続なしに通信を行うことができる。無線ＭＢＡＮの一例は、米国特許出願公開第２００９／０１８６５７７号明細書に開示されている。無線ＭＢＡＮにはいくつかの利点がある。しかし、装置とホストとの間に物理的に接続するケーブルがないので、どの無線装置が無線ＭＢＡＮの一部であるかをユーザが確認することは困難である。特定の受信ホストまたはモニタにどの無線装置が接続されているかをユーザが確認することは困難である。通常、無線装置は、関与する装置のシリアル番号、または装置名、または患者の識別情報に基づいて確認することができる。これは面倒で時間がかかり、シリアル番号、装置名、または患者の識別情報を確認するためにユーザから非常に高い精度が要求される。人間の過ちや混乱はこの状況では一般的であり、非常に深刻な結果につながる可能性がある。確認が行われる必要がある場合、迅速に行われることが通常好ましい。
【０００５】
無線ＭＢＡＮの一部である無線装置を確認することは、特に確認の直感性および速度を向上させるために問題である。介護者が見ているデータがどこから来ているかを知ることは問題である。特定の患者または個人から収集されたデータが他の誰かから収集されたデータに干渉することなく確実に収集されることを保証することは問題である。簡単な方法で直感的に確認を実現するには、技術的な問題がある。容易さと直感性とセキュリティは考慮すべき問題である。経済的かつ技術的に実現可能な解決策を提供することは問題であり、医療環境においても簡単かつ便利に行うために、解決策は可能で実用的でなければならない。医療環境は、本質的に、厳格な規制と健康と安全の面を考慮する必要がある。
【先行技術文献】
【非特許文献】
【０００６】
【非特許文献１】Ｍｉｎｇ  Ｌｉ  ｅｔ  ａｌ：“Ｇｒｏｕｐ  Ｄｅｖｉｃｅ  Ｐａｉｒｉｎｇ  ｂａｓｅｄ  Ｓｅｃｕｒｅ  Ｓｅｎｓｏｒ  Ａｓｓｏｃｉａｔｉｏｎ  ａｎｄ  Ｋｅｙ  Ｍａｎａｇｅｍｅｎｔ  ｆｏｒ  Ｂｏｄｙ  Ａｒｅａ  Ｎｅｔｗｏｒｋｓ”，ＩＮＦＯＣＯＭ，２０１０  ＰＲＯＣＥＥＤＩＮＧＳ  ＩＥＥＥ，ＩＥＥＥ，ＰＩＳＣＡＴＡＷＡＹ，ＮＪ，ＵＳＡ，１４  Ｍａｒｃｈ  ２０１０（２０１０−０３−１４），ｐａｇｅｓ  １−９
【発明の概要】
【０００７】
本開示は、無線医療本体エリアネットワークＭＢＡＮ、および無線ＭＢＡＮに接続された無線装置を確認するための方法に関する。これは、独立請求項によって規定される特徴によって達成することができる。さらなる強化は、従属請求項において特徴付けられる。この開示のために、互いに接続されたセンサなどの医療装置、ならびに／またはケーブルを介してまたは無線で単一の患者に対してまたはその周りに適用されるネットワークに接続されたホストおよび／もしくはモニタは、医療本体エリアネットワークＭＢＡＮと呼ばれる。このＭＢＡＮは、病院や自宅、または他の適切な場所で使用することができる。
【０００８】
一実施形態は、無線医療本体エリアネットワークＭＢＡＮに接続された無線装置を確認するための方法を提供する。本方法は、ユーザが前記無線装置のいずれか１つを確認するための要求をアクティブ化することにより、確認の要求をアクティブにするステップと、無線ＭＢＡＮのいずれか１つの無線装置により、確認の要求を受信するステップと、複数の無線装置に表示を表示することにより、無線ＭＢＡＮに接続された複数の無線装置を示すステップと、を含む。複数の無線装置は、無線ＭＢＡＮのすべての無線装置であってもよい。
【０００９】
一実施形態によれば、複数の無線装置に表示を表示することにより、無線ＭＢＡＮに接続された複数の無線装置を示すステップは、無線ＭＢＡＮのホストまたはモニタに接続された複数の無線装置を示すステップ、特に、無線ＭＢＡＮのホストまたはモニタに接続された複数の無線センサ装置を示すステップを含んでもよい。一実施形態によれば、識別情報は、複数のまたはすべての無線装置について同一である。識別情報は、色、シーケンスされたフラッシュパターン、音声、および記号のうちの１つまたは組み合わせであってもよい。
【００１０】
一実施形態によれば、表示は、例えば、確認の要求を再アクティブ化にすることによって、ユーザが表示の表示を能動的に終了させるまで表示される。一実施形態によれば、表示は、ある期間が経過するまで表示される。
【００１１】
一実施形態によれば、表示は、１つまたは２つまたは３つまたは４つまたは５つ以上の英数字コードであってもよい。
【００１２】
一実施形態は、無線装置を含む、無線医療本体エリアネットワークＭＢＡＮを提供する。無線ＭＢＡＮは、確認をアクティブ化するように構成された各無線装置と、確認のアクティブ化時に識別情報を表示するように構成された複数の無線装置と、を含む。複数の無線装置は、無線ＭＢＡＮのすべての無線装置であってもよい。
【００１３】
一実施形態によれば、識別情報は、無線ＭＢＡＮ内の複数のまたはすべての無線装置について同一である。識別情報は、色、シーケンスされたフラッシュパターン、音声、および記号のうちの１つまたは組み合わせであってもよい。一実施形態によれば、識別情報は、１または２または３または４または５の符号またはそれ以上の英数字コードであってもよい。識別情報は、複数の符号であってもよい。
【００１４】
一実施形態によれば、無線装置は、少なくとも１つのハブと、少なくとも１つのセンサと、を含む。一実施形態によれば、無線装置は少なくとも１つのセンサを含み、ハブまたはホストを含まない。センサは、ハブまたはホストとして機能するように構成されてもよい。ハブは、無線ＭＢＡＮ内のすべての無線装置をリストするように構成されてもよい。ハブおよび／またはセンサは、第２のネットワーク、例えば、病院のインフラストラクチャまたは任意の利用可能なＷｉ−Ｆｉと通信するように構成されてもよい。
【００１５】
少なくとも１つの実施形態によれば、方法および無線ＭＢＡＮが提供され、装置上の明瞭な一致する視覚的および／または聴覚的表示を介して、通信装置間の無線接続を、可能な限り容易に迅速かつ直観的に確認する。ホスト装置とセンサ装置の両方が、視覚的および／または聴覚的な表示を生成することができる。１つからアクティブ化されると、対応する表示が、他の装置または通信に関与する複数の装置にも現れる。表示は、例えば、表示されるようにアクティブ化された色および／または点滅のシーケンスおよび／または両方の装置で同様に生成された音であってもよい。
【００１６】
少なくとも１つの実施形態によれば、無線装置は、他の装置のグループと通信することもできる。表示は、指定された接続を介して通信しているいずれかの当事者からアクティブ化することができる。例えば、任意の所与の時間に複数のセンサと通信する場合には、その表示は、ホスト（例えば、モニタまたは患者特有のハブ装置）またはセンサの１つまたはすべてに現れるセンサからアクティブ化することができる。
【００１７】
少なくとも１つの実施形態によれば、通信装置上に視覚的および／または聴覚的な表示を与える接続を確認するための解決策が提供される。単独で、または既存のシステムと統合して、直感性の向上と確認の実行速度の技術的効果が達成される。
【００１８】
上記の実施形態の少なくとも１つは、背景技術の問題および欠点に対する１つまたは複数の解決策を提供する。本開示の他の技術的利点は、以下の説明および特許請求の範囲から当業者には容易に明らかになるであろう。本出願の様々な実施形態は、記載される利点のサブセットのみを得る。実施形態にとって重要な利点はない。任意の請求された実施形態は、任意の他の請求された実施形態と技術的に組み合わせてもよい。
【図面の簡単な説明】
【００１９】
添付の図面は、本開示の現在の例示的な実施形態を例示し、例として、本開示の原理を説明するのに役立つ。
【図１】本開示の例示的な実施形態による方法のフローチャートである。
【図２】本開示の例示的な実施形態による無線ＭＢＡＮの概略図である。
【図３】本開示の例示的な実施形態による無線ＭＢＡＮの概略図である。
【発明を実施するための形態】
【００２０】
図１は、無線医療本体エリアネットワークＭＢＡＮに接続された無線装置を確認するための方法の例示的な実施形態を開示する。無線ＭＢＡＮは、病院内に設けることができるが、自宅、スポーツ施設、または他の任意の場所に設けてもよい。本方法は、以下のステップを順番に含む。第１のステップ５０は、ユーザが無線装置のいずれか１つを確認するための要求をアクティブ化することにより、確認の要求をアクティブにするステップであってもよい。アクティブ化は、例えばハブ、ホスト、またはセンサなどの任意の無線装置で行うことができる。アクティブ化は、ホストからのみに限定されず、無線ＭＢＡＮの利用可能な無線装置の一部から行ってもよい。これは、ユーザがセンサから確認を直接アクティブ化することができるという技術的効果を提供する。第２のステップ５２は、無線ＭＢＡＮのいずれか１つの無線装置により、確認の要求を受信するステップであってもよい。ユーザが要求をアクティブ化するために選択した無線装置が、確認の要求を受信する。第３のステップ５４は、複数の無線装置に表示を表示することにより、無線ＭＢＡＮに接続された複数の無線装置を示すステップであってもよい。確認の要求を受信した無線装置は、表示を表示するために、無線ＭＢＡＮ内の複数の無線装置を配置するように構成することができる。これにより、無線ＭＢＡＮ内の複数の無線装置は、無線ＭＢＡＮの無線装置の一部を確認する表示を表示する。複数の無線装置は、２つだけの無線装置、または任意の数の無線装置、またはすべての無線装置であってもよい。複数の無線装置は、センサのみ、または１つもしくは複数のセンサとホスト、または１つもしくは複数のセンサとモニタであってもよい。しかし、確認は無線装置が特定の無線ＭＢＡＮの一部であるかどうかを知ることができるので、それは無線ＭＢＡＮの無線装置の一部であってもよい。確認は、接続が存在し、１つまたは複数のセンサがデータを受信するホストまたはモニタと対になることを確認することができ、かつ／あるいは、どのホストまたはモニタまたは１つもしくは複数のセンサが接続されているかを確認することができ、センサが正しいホストまたはモニタに接続されていることをユーザが見ることができる。
【００２１】
一実施形態によれば、無線ＭＢＡＮ内のホスト装置は、無線ＭＢＡＮ内で現在通信している無線装置のリストを表示することができる。無線装置（例えば、ホストまたはセンサ）のいずれか１つに対する確認要求をアクティブ化し受信すると、ＭＢＡＮの複数のまたはすべての無線装置が示される。一実施形態によれば、複数の無線装置に表示を表示することにより、無線ＭＢＡＮに接続された複数の無線装置を示すステップは、無線ＭＢＡＮのホストまたはモニタに接続された複数の無線装置を示すステップを含んでもよい。例えば、無線ＭＢＡＮのホストまたはモニタに接続された複数の無線センサ装置を示すことにより、ユーザは、特定のホストまたはモニタにどのセンサが接続されているかを確認することができる。
【００２２】
一実施形態によれば、識別情報は、複数のまたはすべての無線装置について同一である。識別情報は、色、シーケンスされたフラッシュパターン、音声、および記号のうちの１つまたは組み合わせであってもよい。このようにして、ユーザは、どの無線装置が無線ＭＢＡＮの一部であるかを迅速かつ直観的に確認することができる。例えば、患者に接続されたセンサが実際にその患者についての無線ＭＢＡＮの一部であるかどうか、およびそのセンサが特定のホストまたはモニタに接続されているかどうかを確認することができる。
【００２３】
一実施形態によれば、表示は、例えば、確認の要求を再アクティブ化にすることによって、ユーザが表示の表示を能動的に終了させるまで表示することができる。このようにして、ユーザは、例えば、要求を再度アクティブ化することによって、ユーザがそれを終了することを決定するまで、確認および結果の表示をアクティブ化することができる。一実施形態によれば、表示は、ある期間が経過するまで表示される。このようにして、確認の要求は、無線装置に、例えば５秒または１０秒などの特定の予め設定された時間の間、それらの表示を表示させる。
【００２４】
一実施形態によれば、識別情報は英数字コードである。英数字コードは、１つ、または２つ、または３つ、または４つ、または５つ以上の文字で構成される。このようにして、特定の無線ＭＢＡＮ内にどの無線装置があるかを素早く確認することができる。
【００２５】
一実施形態によれば、無線医療本体エリアネットワークＭＢＡＮは、無線装置を含む。無線装置は、例えばセンサのみであってもよいし、別の例ではセンサと少なくとも１つのホストであってもよい。無線ＭＢＡＮは、確認をアクティブ化するように構成された各無線装置と、確認のアクティブ化時に識別情報を表示するように構成された複数の無線装置と、を含んでもよい。複数の無線装置は、無線ＭＢＡＮ内の２つ以上またはすべての無線装置であってもよい。図２から分かるように、無線装置、この例ではホスト２０は、無線装置のリスト１１０、１２０、１３０、１４０を有する画面２２を有することができる。無線装置１１、この例ではセンサは、無線ＭＢＡＮ２００の一部であってもよい。ユーザは、無線装置をアクティブ化して確認を要求することができる。これは、リスト１１０、１２０、１３０、１４０上の任意の無線装置または無線装置１１であってもよい。無線装置が確認の要求を受信すると、複数の無線装置、例えば無線ＭＢＡＮのすべての無線装置が識別情報を表示する。これは、例えば図３から得ることができ、ホスト２０が画面２２上の無線装置１１０、１２０、１３０、１４０の識別情報を表示する。無線ＭＢＡＮ２００のすべての無線装置１１，１２，１３，１４，２０は、それらがすべて無線ＭＢＡＮ２００の一部であることをユーザが確認できるようにする識別情報を表示する。
【００２６】
一実施形態によれば、識別情報は、無線ＭＢＡＮ内のすべての無線装置について同一である。識別情報は、色、シーケンスされたフラッシュパターン、音声、および記号のうちの１つまたは組み合わせであってもよい。これは、技術的な効果として、どの無線装置が特定の無線ＭＢＡＮの一部であるかを迅速かつ直感的に確認できることを有する。
【００２７】
一実施形態によれば、無線装置は、ハブとして機能する少なくとも１つのセンサを含む。そのような実施形態では、ホストまたはハブが存在する必要はなく、代わりに、ハブおよび／またはホストの機能を利用するようにセンサを構成することができる。一実施形態では、無線装置は、少なくとも１つのハブと、少なくとも１つのセンサと、を含む。ハブは、無線ＭＢＡＮ内のすべての無線装置をリストするように構成されてもよい。
【００２８】
一実施形態によれば、識別情報は英数字コードである。英数字コードは、１つ、または２つ、または３つ、または４つ、または５つ以上の文字で構成される。このようにして、特定の無線ＭＢＡＮ内にどの無線装置があるかを素早く確認することができる。
【００２９】
この明細書は、本発明を開示するために実施例を用いており、最良の形態を含んでいる。また、いかなる当業者も本発明を実施することができるように実施例を用いており、任意の装置またはシステムを製作し使用し、任意の組み込まれた方法を実行することを含んでいる。本発明の特許可能な範囲は、請求項によって定義され、当業者に想起される他の例を含み得るものである。そのような他の実施例は、特許請求の範囲の文言と異ならない構造要素を有する場合、または、特許請求の範囲の文言と実質的な差のない等価の構造要素を含む場合に、特許請求の範囲内にあることが意図されている。
【符号の説明】
【００３０】
１１  無線装置、センサ
１２  無線装置
１３  無線装置
１４  無線装置
２０  無線装置、ホスト
２２  画面
５０  第１のステップ
５２  第２のステップ
５４  第３のステップ
１１０  無線装置、アイコン、リスト
１２０  無線装置、リスト
１３０  無線装置、リスト
１４０  無線装置、リスト
２００  無線ＭＢＡＮ
【図１】
2018502395.tif 000003
【図２】
2018502395.tif 000004
【図３】
2018502395.tif 000005
【国際調査報告】
2018502395.tif 000006
2018502395.tif 000007